(57)【要約】【課題】目覚ましを行う端末が、駅に接近して降車準備ができるようにする。【解決手段】無線端末５０００と駅の親機６００１間で距離を計測可能な通信を行うことで、両者間の距離を計測し、距離によって異なるアラームを発生させる。【選択図】図２
2007001404.tif 000002
【特許請求の範囲】
【請求項１】
第１の送受信機と、目的地入力手段と、少なくとも１つ以上の目的地を記憶する目的地記憶手段と、アラーム発生手段とを具備してなる無線端末と、
目的地に設置され第２の送受信機を具備した駅親機とからなり、
前記第１の送受信機と第２の送受信機との間で通信した信号から両者間の距離を測定し、前記距離に応じて異なるアラーム種別を前記アラーム発生手段から発生させる事を特徴とする目覚ましシステム。
【請求項２】
無線端末と駅親機との間の通信において、所定時間内に少なくとも２以上の送信出力強度の情報を含んだ送信出力の異なる電波により通信を行い、前記無線端末側では受信された電波の前記強度情報から、前記無線端末と前記駅親機間の距離を測定する請求項１記載の目覚ましシステム。
【請求項３】
無線端末のアラーム解除手段の操作により、アラームの停止を行うと同時に、利用者が入力した複数の目的地から入力順に目的地を選択して次の目的地を順次に目的地記憶手段にセットする請求項１記載の目覚ましシステム。
【請求項４】
無線端末内にカレンダー機能を持った計時手段を具備し、前記計時手段の出力の曜日情報から曜日を特定し、平日時と平日時以外の目的地の選択を行う請求項１記載の内目覚ましシステム。
【請求項５】
自宅内に自宅を示すＩＤ情報と自宅からの距離情報とを送信する自宅内親機を具備し、前記自宅内親機との距離を判定することで、所定距離以上の距離になったときに目覚ましシステムの起動を開始する請求項１記載の目覚ましシステム。
【請求項６】
駅親機には列車ダイヤ情報を車両データベースを具備し、無線端末に表示手段を具備し、乗り換え時の列車情報を前記表示手段に表示する請求項１記載の目覚ましシステム。
【請求項７】
請求項１〜６のいずれか記載の目覚ましシステムにて少なくとも１つ以上の手段をコンピューターに実行させるためのプログラム。
【発明の詳細な説明】
【技術分野】
【０００１】
本発明は、無線を使って、降車駅を報知する目覚ましシステムおよびプログラムに関するものである。
【背景技術】
【０００２】
通勤時の電車の中では、睡眠していたり、読書やゲームに夢中になって目的の駅を乗り過ごしをしてしまう場合も少なくない、飲酒時や、早朝、深夜の通勤ではこの傾向が強く、深夜に至っては、乗り過ごしで、終電に間に合わず戻れなくなってしまう場合がある。
【０００３】
そこで、このような乗り過ごしを防ぐために、個人で所有する目覚まし時計、携帯型オーディオ機器等に、利用者が起こしてほしい時間にアラーム音や、振動によって目覚めさせるというものがある。このようなものとしてイヤホン式タイマーアラームがある（例えば特許文献１参照）。また別のアプローチとしては車両目覚ましシステムなどがある（例えば特許文献２参照）。
【特許文献１】特開平８−１３６６７１号公報
【特許文献２】特開２００１−２７８０４７号公報
【発明の開示】
【発明が解決しようとする課題】
【０００４】
特許文献１は、時間設定によって、アラームを発生させるため、設定時間を自ら設定時に、計算しなければならず。現在時刻または出発時刻から、目的地の到着時刻を設定せねばならず、よく知らない路線の場合は所要時間もわからず、目覚まし時間の設定を定められない。また、列車が遅延した場合は、目的地の前で目覚まし機能が動作してしまう。欠点があった。
【０００５】
特許文献２は、駅到着と同時に報知されるため、利用者にとっては、アラーム後大あわてで下車しなければならず、通勤時間帯の混雑した電車では、降りそびれてしまうという問題も発生する。
【課題を解決するための手段】
【０００６】
前記課題を解決するために、本発明は、第１の送受信機と、目的地入力手段と、少なくとも１つ以上の目的地を記憶する目的地記憶手段と、アラーム発生手段とを具備してなる無線端末と、目的地に設置され第２の送受信機を具備した駅親機とからなり、前記第１の送受信機と第２の送受信機との間で通信した信号から両者間の距離を測定し、前記距離に応じて異なるアラーム種別を前記アラーム発生手段から発生させるようにした。
【０００７】
これによって、利用者は、目的地からの距離を段階的に知ることができるので、目的地が近くなったら、降車口付近まで移動し、降車の準備をすることができる。
【発明の効果】
【０００８】
本発明の目覚ましシステムは、利用者が目的地を設定するだけで、目的地に近づくに従って、段階的にアラームを鳴動することによって、目的地にへの接近を把握できるので、余裕を持って、降車準備をすることができる。
【発明を実施するための最良の形態】
【０００９】
第１の発明は、第１の送受信機と、目的地入力手段と、少なくとも１つ以上の目的地を記憶する目的地記憶手段と、アラーム発生手段とを具備してなる無線端末と、目的地に設
置され第２送受信機を具備した駅親機とからなり、前記第１の通信手段と第２の通信手段との間で通信した信号から両者間の距離を測定し、前記距離に応じて異なるアラームを前記アラーム発生手段から発生させるようにした。これにより、目的地への接近状況を段階的に知ることができる。
【００１０】
第２の発明は、無線端末と駅親機間の通信において、所定時間内に少なくとも２以上の送信出力強度の情報を含んだ電波により通信を行い、受信機側では受信された電波の強度情報から、無線端末と親機間の距離を測定するものである。これにより、通信信号と同時に距離測定ができるので、距離測定の特別なプロセスを必要としない。
【００１１】
第３の発明は、無線端末のアラーム解除手段の操作により、アラームの停止を行うと同時に、次の目的地を目的地記憶手段に順次セットするものである。これによって、複数の目的地を次々に設定できるものである。
【００１２】
第４の発明は、無線端末内にカレンダー機能を持った計時手段を具備し、カレンダー機能を持った計時手段の出力で目的地の選択を行うものである。
【００１３】
目的地記憶手段に複数の目的地入力を記憶させて、曜日によって、目的地を選択することも可能である。これによって、登録された目的地の中から、たとえば平日には目的地を会社とし、休日には目的地を遊園地と目覚まし装置が曜日に応じて目的地を変更することができる。
【００１４】
第５の発明は、自宅内に自宅内親機を具備し、自宅内親機との距離測定で、動作を開始するもので、利用者が意識して起動しなくても自宅を外出するだけで、目覚まし動作を開始できるものである。
【００１５】
第６の発明は、列車ダイヤ情報を持つ車両データベースを具備した駅親機と、無線端末に表示手段を具備し、無線端末の近距離報知時刻と目的地情報から乗り換え時の列車情報を前記表示手段に表示するものである。
【００１６】
第７の発明は、第１〜６のいずれかに記載の目覚ましシステムの少なくとも１つの手段をコンピューターに実行させるためのプログラムである。プログラムで有るのでマイコンなどを用いて本発明の目覚ましシステムの一部または全てを容易に実現することができる。また、記憶媒体に記録したり通信回線を用いてプログラムを配信したりすることがでプログラムの配布が簡単にできる。
【００１７】
以下、本発明の実施の形態について、図面を使って説明する。なお、この実施の形態によって本発明が限定されるものではない。
【００１８】
（実施の形態１）
図１〜図６を使って、無線端末の初期設定、アラーム動作、について説明する。
【００１９】
図１で５０００は無線端末、６０００は家庭用親機である。図２で５０００は無線端末、６００１は駅用親機である。
【００２０】
利用者は予め、無線端末５０００の目的地入力手段３０１を使って、目的地を入力する。
【００２１】
自宅から最終目的地まで乗り継ぎが必要な場合は経由地を含め全てを目的地として登録する。
【００２２】
入力された目的地は、表示手段３０７に一時的に表示されて利用者が確認の後、目的地記憶手段３０２に入力順に記憶される。
【００２３】
図１の家庭用親機６０００、図２の駅用親機６００１共に、無線端末５０００との距離測定通信を行う。
【００２４】
図４は、信号強度を縦軸に、時間経過を横軸に表す。時間毎に送信信号がどの様に変化するかを表したものである。
【００２５】
距離測定はＴ１のタイミングで行われ、Ｔ２は休止時間である。距離測定信号の出力Ｔ１と休止時間Ｔ２は交互に発生し、Ｔ１、Ｔ２の動作を繰り返す。
【００２６】
ここで４０１は送信出力信号を表したものである。４０２は４０１の送信信号を近距離で受信した受信機の出力信号を表したものである。４０３は４０１の送信信号を中距離で受信した受信機の出力信号を表したものである。４０４は４０１の送信信号を遠距離で受信した受信機の出力信号を表したものである。
【００２７】
距離測定のための通信信号出力のフローチャートを図３に示す。
【００２８】
図３に示すように、ＳＴ２０、ＳＴ２１で１／６Ｔ１時間、０ｄｂの信号を出力後、ＳＴ２２、ＳＴ２３で１／６Ｔ１時間休止、ＳＴ２４、ＳＴ２５で１／６Ｔ１時間、−３ｄｂ出力後ＳＴ２５、ＳＴ２６で１／６Ｔ１時間休止、ＳＴ２８、ＳＴ２９で１／６Ｔ１時間、−１０ｄｂ信号を送信、ＳＴ３０、ＳＴ３１で１／６Ｔ１時間休止、更にＴ２時間休止後、ＳＴ２０に戻って前述の動作を繰り返す。
【００２９】
上記送信出力を可変するための第２の送受信機、信号受信を行う第１の送受信機を具体的ブロック構成図を図６に示す。
【００３０】
ここに示す、第１の送受信機１０００、第２の送受信機２０００は、無線通信に関わる動作を制御するサブシステムで、アンテナの切り替えを行うアンテナ切り替え器１００、２００、減衰器の制御を行う減衰器（アッテネータ）１０１、２０１、送信手段１０３、２０３の起動、受信手段１０２、２０２の起動を第１の制御手段１０４、第２の制御手段２０４のが受け持つ。
【００３１】
例えば、距離測定のための通信に関しても、システム全体を制御しているのは、親機側６０００、６００１ではＣＰＵ２（４１０、４５０）であり、無線端末５０００ではＣＰＵ１（３１０）である。
【００３２】
第１の送受信機１０００、第２の送受信機２０００は共に、信号の送受信に関わる動作を行うが、受信できた信号を使っての距離測定、アラームの鳴動制御はそれぞれのメインコントローラであるＣＰＵ２（４１０、４５０）が、距離測定の為の送信制御はＣＰＵ１（３１０）が受け持つ。したがって、第１の制御手段１０４はＣＰＵ１（３１０）と、第２の制御手段２０４はＣＰＵ２（４１０、４５０）とコマンドレベルの通信を行うことで、第１の送受信機１０００、第２の送受信機２０００をコントロールしてシステム全体の動作を培っている。
【００３３】
第２の制御手段２０４は、アンテナ切り替え手段２００を最初第２の送信手段側に切り替え、減衰器（ＡＴＴ）２０１の減衰量を０ｄｂとして送信信号を出力する（ＳＴ２０）。１／６Ｔ１時間出力を維持する（ＳＴ２１）。これによって図４の信号４１０が出力さ
れる。
【００３４】
次に、第２の送信手段２０３の動作を休止する（ＳＴ２２）。所定の時間（ここでは１／６Ｔ１）待った後（ＳＴ２３）、減衰器２０１の設定を−３ｄｂに切り替えて（ＳＴ２４）、−３ｄｂ信号を出力し１／６Ｔ１時間出力を維持する（ＳＴ２５）。これによって、４２０信号が出力される。
【００３５】
更に所定時間、ここでは１／６Ｔ１休止後（ＳＴ２６）、減衰器２０１の設定を−１０ｄｂに切り替えて−１０ｄｂ信号を出力し（ＳＴ２８）１／６Ｔ１時間出力を維持する（ＳＴ２９）。これによって、４３０信号が出力される。次に出力を休止（ＳＴ３０）その後１／６Ｔ１待ち（ＳＴ３１）、最後にＴ２時間待ち（ＳＴ３２）、ＳＴ２０に戻る。これで距離測定信号と休止の１サイクルが終了する。
【００３６】
これによって、Ｔ１の期間に異なる送信出力を持った送信信号４０１を得ることができる。
【００３７】
受信側は、第１の送受信機の第１の制御手段１０４によって、アンテナ切り替え手段１００を第１の受信手段１０２側に切り替え、減衰器１０１は０ｄｂ設定とする。これによって受信手段は最大感度で受信待ちをしている。
【００３８】
送信信号４０１は距離が離れると減衰を受け、近距離では４１０、４２０、４３０全ての信号が受信できるが、中距離まで離れると４１０と４２０の信号しか受信できなくなる。更に遠距離まで離れると４１０信号しか受信できなくなる。
【００３９】
ここで、送信信号４１０、４２０、４３０には送信信号強度情報を重畳してあるので、受信を行った第１の受信手段１０２の出力信号を検出すれば、受信できた信号は０ｄｂ信号か、−３ｄｂ信号か、−１０ｄｂ信号かを判定できる。
【００４０】
無線端末５０００の距離測定動作について図５のフローチャートを使って動作を説明する。
【００４１】
無線端末はＳＴ１０で無線受信するとＳＴ１１で受信した信号の送信出力信号を検出し、送信信号強度情報によってＳＴ１１で０ｄｂ信号があればＳＴ１２で０ＤＢフラッグをセットしてＳＴ１０に戻る。
【００４２】
０ｄｂ信号が検出できなければ、ＳＴ１３で−６ｄｂ信号を検出する。ここで−６ｄｂ信号を検出できれば−６ｄｂフラッグをセットしてＳＴ１０に戻る。
【００４３】
受信できなければＳＴ１５で今度は−１０ｄｂ信号を検出する。検出できればＳＴ１６で−１０ｄｂフラッグをセットしてＳＴ１０に戻る。
【００４４】
０ｄｂ、−３ｄｂ、−１０ｄｂのどの信号も検出できなければＳＴ１７、ＳＴ１８、ＳＴ１９は共にＮｏ方向に評価され、ＳＴ１０に戻る。
【００４５】
ＳＴ１２、ＳＴ１４、ＳＴ１６で、フラッグセットされていれば、休止時間Ｔ２のときに、ＳＴ１７（近距離）ＳＴ１８（中距離）ＳＴ１９（遠距離）が検出できたことになるので、アラーム手段３０３のアラーム種別をそれぞれ変えておけば、利用者は遠距離から、中距離、近距離に至る変化を知ることができる。
【００４６】
なお、ここでは一例として０ｄｂ、−６ｄｂ、―１０ｄｂで説明したが、これに限定す
るものではない。
【００４７】
利用者が在宅中には、家庭用親機６０００と無線端末は、定期的に通信を行い待機状態で動作する。
【００４８】
利用者が無線端末５０００を持って外出すると、家庭用親機６０００と前述の原理で家庭からの距離測定を行い所定距離以上離れると、外出を検出して無線端末５０００は待機状態から動作状態に移行する（起動する）。するとＣＰＵ１（３１０）は、目的地記憶手段３０２の中から、利用者が入力した順に目的地を選択して目覚ましシステムの動作を開始する。
【００４９】
無線端末５０００を所持した利用者が、目的地（駅）に次第に近くなると、通信可能な通信相手が図２で表示する駅親機６００１に変化する。家庭用親機と駅親機の基本構成違いはそれぞれのＩＤ情報の違いと駅親機が車両データベースを持っている事だけが違っている。
【００５０】
ここで、無線端末５０００は、ＣＰＵ１（３１０）の制御で、第１の送受信機１０００を使って、駅親機６００１の第２の送受信機２０００と通信し、ＣＰＵ２（４１０）と情報交換する。ＣＰＵ２（４１０）は、前述に述べた手順で距離測定を行う。
【００５１】
一般的に、目的地には遠距離から中距離、近距離と接近するので、遠距離の動作から説明する無線端末は遠距離では４０４の様に受信できるのは４１０信号だけであり、４１０信号しか受信できなければ遠距離なので遠距離を示すアラームをアラーム発生手段から発生する。次第に目的地に近づくと中距離モードに移行し、受信信号は４０３の様に変化する。
【００５２】
受信信号を評価して４１０信号と４２０信号が検出できれば、中距離になったことがわかる。中距離に移行したら、中距離を表すアラームをアラーム発生手段から鳴動する。更に、目的地に近づくと受信信号は４０２の様に変化し、受信信号を評価すると４１０、４２０、４３０の全ての信号が受信できるようになる。これで、目的地から近距離になったのでアラーム発生手段は目的地に近いことを利用者に知らせる。
【００５３】
この様に遠距離から中距離、近距離と距離毎にアラーム報知するので利用者は目的地への接近具合を知ることができる。
【００５４】
第１の目的地に着くと、利用者はアラーム解除入力手段３０４を操作してアラームを解除する。この操作で第１目的地へのアラーム動作は終了する。
【００５５】
利用者は初期設定で最終目的地までの乗り換えを含めた目的地を順に目的地記憶手段３０２に登録しているので、この操作で第１目的地へのアラーム動作は終了し、目的地記憶手段３０２に記憶した次の目的地情報を選択する。この順序で最終目的地まで、目的地への接近を知らせ、利用者に降車のタイミングを報知する。
【００５６】
さらに、駅親機６００１には列車のダイヤを記録した車両データベース４００を持っている。無線端末は、次の目的地情報と近距離アラーム鳴動の時刻情報とから、乗り継ぎに必要な乗り継ぎ路線を抽出し該当路線の全ダイヤを表示する。或いは、近距離アラーム鳴動時刻の時刻より遅いいくつかのダイヤ情報を表示することで、次の目的地への列車の乗り継ぎ情報を表示するようにもできる。
【００５７】
さらに通常はウイークデイに目的地を会社として自宅から会社までの経路で目覚ましシ
ステムを利用している利用者が、休日に遊園地に出かける時には、休日用の目的地として遊園地を目的地として、経由地を含めて目的地入力手段３０１を使って目的地記憶手段３０２に登録する。この準備をしておけば、日曜日に外出した場合カレンダー計時手段３０６の曜日情報から日曜日を検出し、目的地を遊園地に切り替えることが可能である。
【００５８】
なお、以上に説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００５９】
以上のように、本発明の目覚ましシステムおよびプログラムでは、送信信号に含まれた送信出力強度信号から目的地との距離を測定し、目的地との距離を段階的に報知するので、利用者は目的地までの接近を順次知ることができる。従って通勤時の混雑したバスや列車でも降車の準備ができるので、目的地到着にいきなり到着報知される従来のシステムより優れている。
【００６０】
また、目的駅には駅親機には車両データベースがあり、これによって、つぎの目的地への列車やバス等の乗り継ぎ情報を表示できるので速やかに乗り継ぎができるといった効果がある。
【図面の簡単な説明】
【００６１】
【図１】本発明の実施の形態１における目覚ましシステムの、家庭用親機と無線端末の全体ブロック図
【図２】本発明の実施の形態１における目覚ましシステムの、駅親機と無線端末の全体ブロック図
【図３】本発明の実施の形態１における目覚ましシステムの、距離測定のための段階的送信出力信号の作成のための動作フローチャート
【図４】本発明の実施の形態１における目覚ましシステムの、距離変化による無線機出力の模式図
【図５】本発明の実施の形態１における目覚ましシステムの、受信信号から距離を測定しアラームを鳴動するまでの動作フローチャート
【図６】本発明の実施の形態１における目覚ましシステムの、無線端末、自宅親機／駅親機の無線送受信機部分を抽出したブロック構成図
【符号の説明】
【００６２】
１００  アンテナ切り替え器
１０１  減衰器（アッテネータ）
１０２  第１の受信手段
１０３  第１の送信手段
１０４  第１の制御手段
２００  アンテナ切り替え器
２０１  減衰器（アッテネータ）
２０２  第２の受信手段
２０３  第２の送信手段
２０４  第２の制御手段
３０１  目的地入力手段
３０２  目的地記憶手段
３０３  アラーム発生手段
３０４  アラーム解除手段
３０６  カレンダー計時手段
３０７  表示手段
３１０  ＣＰＵ１
４００  車両データベース
４０１  第２の送信手段からの送信信号
４０２  近距離時の第１の受信手段の受信出力信号レベル
４０３  中距離時の第１の受信手段の受信出力信号レベル
４０４  遠距離時の第１の受信手段の受信出力信号レベル
４５０  ＣＰＵ２
１０００  第１の送受信機
２０００  第２の送受信機
５０００  無線端末
６０００  自宅の親機
６００１駅の親機
【図１】
2007001404.tif 000003
【図２】
2007001404.tif 000004
【図３】
2007001404.tif 000005
【図４】
2007001404.tif 000006
【図５】
2007001404.tif 000007
【図６】
2007001404.tif 000008